(57)【要約】【課題】  衣料品の折り畳み部を把持する衣料品用クリップであって、クリップ自体の形状を変更することなく、或る程度の狭接力で商品を把持して抜け外れず、商品自体を傷めないクリップを提供する。【解決手段】プレート状の支持片２の表面に、支持部３と曲部４を有して連設される狭接片５を備え、該狭接片５はその先端部分６がくの字状に上向きに曲折され、くの字状の鉤折れ部７が対向する支持部３の基端に突設された山形状の凹段部９に対面する構成の衣料品用クリップであって、クリップ全体をシリコーンゴムで成形した。【選択図】    図１
0003105552.tif 000002
【実用新案登録請求の範囲】
【請求項１】
プレート状の支持片２の表面に、支持部３と曲部４を有して連設される狭接片５を備え、該狭接片５はその先端部分６がくの字状に上向きに曲折され、くの字状の鉤折れ部７が、対向する支持部３の基端部分に突設した山形状の凹段部９に対面するよう構成された衣料品用クリップであって、クリップ全体をシリコーンゴムで成形して形成されたことを特徴とする衣料品用クリップ。
【請求項２】
狭接片５は、その支持部３と曲部４を含め、その幅がプレート状の支持片２のほぼ半分の幅で形成され、プレート状の支持片２と一体に構成される請求項１記載の衣料品用クリップ。
【請求項３】
プレート状の支持片２の背面２ａは、プレートの長手方向の両端部２ｂ、２ｃより若干の距離を置いて浅い凹部２ｄが形成されている請求項１記載の衣料品用クリップ。
【考案の詳細な説明】
【技術分野】
【０００１】
本考案は、セーターやシャツ等の衣料品を折り畳んで把持し、体裁よく店頭やショーウインド等に陳列するために使用される衣料品用クリップに関する。
【背景技術】
【０００２】
一般に使用されている衣料品用のクリップは、図４に示すように、クリップ１０全体がプラスチック製で、プレート状の支持片１１上に、支持部１２と曲部１３とを連設した挟接片１４を一体とし、該狭接片１４の弾発で支持部１２との間でセーターやシャツ等の衣料品の折畳み部を把持するのが基本的な構成である。
【０００３】
又、支持部１２の先端部には山形状の段部１５が突設されており、狭接片１４のくの字状に曲折した先端部分１６が嵌り込むよう形成されている。これは衣料品を把持したとき、衣料品との滑りを止め、クリップとしての把持力を増すために設けられている。
【０００４】
このような衣料品用クリップは、包装用資材として消耗品であるため、極力コストを抑える必要から安価なプラスチックの成形品で対処されている。
【考案の開示】
【考案が解決しようとする課題】
【０００５】
日常的に使用されている衣料品用クリップには、以下のような欠点が指摘されている。
即ち、クリップ自体がプラスチックの一体成形品であるため、柔軟性に乏しく、柔らかい衣料品の折り畳み部に差し込む際にスムーズには行い得ず、又、狭接力が強いために商品を傷めたり、クリップ自体の狭接痕跡が残って商品価値を低減させてしまうおそれがある。又、クリップが商品より外れて店舗内の床面に落下した場合、人が知らずに踏みつけて転倒したり、クリップが破損したりする欠点がある。
【０００６】
本考案は、このような従来のクリップの欠点を解消するものであり、柔らかな衣料品の折り畳み部への差し込み作業を容易にし、不用意に抜け外れることがなく、脱着時に商品を傷めない衣料品用クリップを提供することを目的とする。
【課題を解決するための手段】
【０００７】
上記課題を解決するために本考案は、衣料品用クリップ自体の形状を変更することなく、ある程度の狭接力で商品を把持し、しかも、抜け外れることがなく、商品自体を傷めないクリップとして、シリコーンゴムを素材として用い、これを成形加工したものである。
【考案の効果】
【０００８】
本考案の衣料品用クリップはシリコーンゴムで成形されるため、弾力性に優れ、衣料品の折り畳み部に差し込む際には、支持片と狭接片を指で開き、スムーズに行える。しかも、差し込み後はシリコーンゴムの弾性と高表面タック性によって衣料品をソフトに狭接し把持するために不用意に抜け外れないクリップとなる。
【０００９】
更に、支持片、狭接片を含め、クリップ全体がシリコーンゴム製であるため、その表面タック性により柔らかい衣料品とのなじみが良く、滑らず、弱い接触圧で確実に商品を保持し得るため、商品としての衣料品の折畳み部に狭接痕跡を残さない。
【考案を実施するための最良の形態】
【００１０】
図１は本考案の衣料品用クリップの側面図、図２は同平面図、図３は同底面図である。
１はシリコーンゴム製のクリップ本体を示し、プレート状の支持片２の上面に、支持部３と曲部４を介して連設される狭接片５を備え、該狭接片５はその先端部分６が、くの字状に上向きに曲折され、くの字の鉤折れ突部７が対向する支持部３の基端部分８面に突設された山形状の凹段部９に僅かな間隔を介して対面するように構成されている。
【００１１】
又、狭接片５はその支持部３及び曲部４共に、その幅がプレート状の支持片２のほぼ半分の幅で形成され、狭接片５の支持部３が曲部４を介して支持片２の上面に一体とされている。これにより、プレート状の支持片２は狭接片５の支持部３部分でプレートの長手方向に補強され、クリップの支持片としての腰を持たせることで、把持した場合のクリップとしての安定性をもたせている。
【００１２】
又、プレート状の支持片２の背面２ａに、プレートの長手方向の両側端２ｂ、２ｃより若干の距離をおいて浅い凹部２ｄを形成している。図３に示すようにこの浅い凹部２ｄに別途、衣料品のサイズ表示用のラベルＡが貼着される。ラベルＡがこの浅い凹部２ｄに貼着された場合、ラベルＡの厚みが浅い凹部２ｄと合致し、ラベルＡが支持片２の背面２ａの面より突出しないようにしている。これにより、ラベルＡが剥がれたりする不都合を防止している。
【００１３】
又、狭接片５のくの字状に曲折された先端部分６は、支持部３の先端部分８より拡開し、外方に若干突出して形成されている。これは衣料品の折り畳み部にクリップ本体１を差し込む際にスムーズに行えるようにしたものである。
【００１４】
尚、上述した本考案のクリップ全体の形状、構造は公知のクリップと異なるところはないが、本考案の特徴は、クリップ全体がシリコーンゴムで成形されていることにある。
【００１５】
又、本考案で使用するシリコーンゴムは、常温で固体の熱加硫型シリコーンゴムや常温硬化型シリコーンゴムなどが挙げられるが、タック性を有していれば特に限定されず、更に、シリコーンゴム材料の硬度は、衣料品の折り畳み部を把持するクリップとしてのある程度の弾性を有する限り特に限定されない。
【００１６】
しかも、シリコーンゴム材料は合成ゴムのように耐候性を持たせるための添加剤を用いないため、自由な着色が可能であり、衣料品用のクリップとしてファンッション性を持たせることができる。
【産業上の利用可能性】
【００１７】
本考案の衣料品用クリップは、折り畳んだ衣料品をソフトに把持して商品を傷めず、且つ、脱着がスムーズで、商品に狭接痕跡を残さないクリップとして広範囲な利用が期待できる。
【図面の簡単な説明】
【００１８】
【図１】本考案の側面図である。
【図２】同、平面図である。
【図３】同、底面図である。
【図４】従来の衣料品用クリップの斜視図である。
【符号の説明】
【００１９】
１      クリップ本体
２      プレート状の支持片
２ｄ    浅い凹部
３      支持部
４      曲部
５      狭接片
６      狭接片の先端部分
７      鉤折れ突部
８      支持部の基端部分
９      山形状の凹段部
【図１】
0003105552.tif 000003
【図２】
0003105552.tif 000004
【図３】
0003105552.tif 000005
【図４】
0003105552.tif 000006